(57)【特許請求の範囲】
【請求項１】
建物の布基礎等のコンクリートの天端レベルを表示するものであり、鋼線等の線条体を屈曲して、配筋の縦筋に挿着できる挿着部を形成すると共に、上端を縦筋より上に突出できる天端表示部とした天端表示材であって、
横筋６を上端部で固定した縦筋５の上から挿通して挿着できるよう、下端を上に折返し、再び下に向けて折返し、さらに上に折返すことで夫々の折返部を細長Ｕ字形のループ体３１，３２，３３と成し、下端の２つのループ体３２，３３で縦筋を挟持できるよう間隔をおき対向させて挿着部３としたことを特徴とするコンクリート天端表示材。
【請求項２】
建物の布基礎等のコンクリートの天端レベルを表示するものであり、鋼線等の線条体を屈曲して、配筋の縦筋に挿着できる挿着部を形成すると共に、上端を縦筋より上に突出できる天端表示部とした天端表示材であって、
縦筋５を収容できる複数巻きの螺旋部をわん曲形成した挿着部３０とし、横筋６を上端部で固定した縦筋５の上から横に回転させながら螺旋部に縦筋を挿着することを特徴とするコンクリート天端表示材。
【請求項３】
上端を折返して折返上端２１と折返先端２２の二カ所で天端と他レベルを表示させることを特徴とする請求項１又は請求項２記載のコンクリート天端表示材。
【発明の詳細な説明】
【０００１】
【発明の属する技術分野】
本発明は、建物の布基礎等のコンクリートの天端レベルを表示するコンクリート天端表示材に関するものである。
【０００２】
【従来の技術】
従来からコンクリート布基礎の天端レベルを示すものとして型枠に磁石やテープを付着させる等していたが、水平レベルからずれることがあり、位置を替えることが度々であり面倒であった。水平レベルを出すため簡単に上下動調整できる天端表示具では、配筋の縦筋に取り付けるものが安価であるが、実開平１−１２９３５８号のように、いずれもネジ止め構成が多くて縦筋への取り付けに手間のかかる問題点があった。
【０００３】
【発明が解決しようとする課題】
そこで本発明は、縦筋への取り付けがワンタッチでできると共に、縦筋に沿って容易に昇降調整でき、しかも上端部に横筋が固着されていても取り付け使用できる安価な天端表示材を提供するものである。
【０００４】
【課題を解決するための手段】
このため本発明は、建物の布基礎等のコンクリートの天端レベルを表示するものであり、鋼線等の線条体を屈曲して、配筋の縦筋に挿着できる挿着部を形成すると共に、上端を縦筋より上に突出できる天端表示部としたものであって、挿着部は、横筋を上端部で固定した縦筋の上から挿通して挿着できるよう、下端を上に折返し、再び下に向けて折返し、さらに上に折返すことで夫々の折返部を細長Ｕ字形のループ体と成し、下端の２つのループ体で縦筋を挟持できるよう間隔をおき対向させた構成のコンクリート天端表示材である。
また、縦筋を収容できる螺旋部をわん曲形成した挿着部とし、横筋を上端部で固定した縦筋の上から横に回転させながら螺旋部に縦筋を挿着するようにしてもよい。さらに、上端を折返して折返上端と折返先端の二カ所で天端と他レベルを表示させるようにしてもよい。
【０００５】
【発明の実施の形態】
以下、本発明の詳細を図示した形態例で説明する。図１乃至図３で示す形態例は、１本の鋼線を屈曲形成して成るものであり、直線部１の上端は下に約１cm折返して天端表示部２とし、下端部を縦筋への挿着部３として一体に連設している。
【０００６】
その挿着部３は、直線部１の下端を上向きに３〜４cm折返した後、下に折返し、再び上向きに折返して端部を上向きとした形状としている。この折返部は半円状となるため夫々細長Ｕ字形のループ状折返部となり、したがって上のループ体３１の両側に下のループ体３２，３３が連続形成されるのである。
【０００７】
また、下のループ体３２，３３は対向配置されて底端に開口部を形成し、図２のように、ループ体３２，３３の下端の折返部を夫々少し外側に傾斜させることで底端の開口部を広くする挿入ガイドとすると共に、上のループ体３１の上端である折返部を少し外向きに傾斜させて上移動の際のガイドとしている。さらに、図３のように、両側のループ体３２，３３の細長巾を上に向かうにつれて少し狭くすると共に、図２のように、上のループ体３１の細長巾を下に向かうにつれて少し狭くすることで挿着部３を内側に弾性付勢している。
【０００８】
このように構成した本例表示材Ｓは、図４のように、建物の布基礎用配筋の縦筋５に上から差し込むことで縦筋５にワンタッチで挿着できるのである。即ち、挿着部３のループ体３２，３３間の開口部から縦筋５に挿入することで、図５のように、縦筋５の両側がループ体３２，３３で支持されると共に、前面が上のループ体３１で支持されて挟持されるのである。しかも縦筋５への挿入で挿着部３が少し外側に広がるため、その弾性復元力で縦筋５が強く弾着保持されるのである。
【０００９】
なお、図４のように縦筋５に横筋６が溶接されている場合でも、直線部１及び両側のループ体３２，３３が横筋６に当接しない位置、即ち、上位置のループ体３１を横筋６と反対側に配置させた状態で挿着すれば横筋６に関係なく縦筋５に挿着できるのである。
【００１０】
縦筋５を保持した後は、測定した高さに上端の天端表示部２が位置するよう表示材Ｓを縦筋５に沿って上下スライドさせればよい。この昇降は、バネ圧による可撓性保持と夫々のループ体３１，３２，３３の夫々先端である折返部が外向きとなっているため縦筋５の異形突出部５１に引っ掛かることなく円滑に移動できるのである。この場合も、横筋６の存在に関係なく昇降できるのである。
【００１１】
さらに、上端の天端表示部２を折返しによって折返上端２１と折返先端２２の二カ所をレベル表示できるため、例えばコンクリート布基礎の場合、下の折返先端２２を生コン打設の天端レベル表示とし、上の折返上端２１をモルタル仕上げの仕上げレベル表示として施工すればよい。
【００１２】
なお、生コン打設の際、表示材Ｓが倒れたり傾斜変位しないようにするために図４のように、止めリング４を縦筋５の上端に係止してもよい。また、横筋６が縦筋５に紐７で結束固着してある場合は、紐７が邪魔して表示材Ｓが上から挿入できないため、図６のように、斜めにして挿着部３を縦筋５に差し込んだ後、上に回動すれば、図４のように挿着できるのである。
【００１３】
次に、図７で示す別例表示材Ｋを説明する。１本の鋼線を屈曲形成して成るものであり、直線部１の上端は下に約１cm折返して天端表示部２とし、下端部を縦筋５への挿着部３０として縦筋５が挿入収容できるよう複数巻きの螺旋状に形成している。なお、螺旋部は下端に向かうにつれて開口を少し広くして縦筋を挿入し易くし、螺旋部の上部では縦筋５を弾性保持できるよう開口を少し狭くしている。
【００１４】
本例は、縦筋５の上から、横に回転させながら下げることで螺旋状の挿着部３０で縦筋５を収容保持するのである。この際、下端螺旋部は開口を少し広くしているため縦筋５を簡単に挿入でき、螺旋部の上部では開口が少し狭いため縦筋５を弾性保持できるのである。なお、横筋６が紐等で結束してあっても支障なく縦筋５に挿着できるのである。また、高さ調節は直線部１を把持して上下させ、或いは回転させながら上下させればよい。
【００１５】
実施形態は夫々上記の構成としたが、本発明においてはこれに限定されない。例えば、線条体の材質は問わず、金属製の他、バネ性を付与できればプラスチック製でもよい。また、上端の天端表示部の形状も適宜である。さらに、挿着部の形状も任意であり、縦筋を保持できればよい。なお用途は、建物の布基礎の天端レベルの他、各種コンクリートの天端レベルの表示に用いてもよい。
【００１６】
【発明の効果】
本発明の請求項１によると、上から差し込むだけで配筋の縦筋に簡単に挿着でき、特に縦筋の上端部に横筋が配筋されている場合でも取り付けることができるのである。請求項２では、横筋が紐などで結束してある場合でも上から取り付けることができるのである。請求項３では生コン打設レベルと仕上げレベルのような二つのレベルを表示できるのである。
【図面の簡単な説明】
【図１】本発明の一形態例の斜視図である。
【図２】その正面図である。
【図３】その側面図である。
【図４】その使用状態の斜視図である。
【図５】その使用状態の要部拡大横断面図である。
【図６】斜めから差し込んで取り付ける状態の斜視図である。
【図７】別例の斜視図である。
【図８】その取り付け状態の要部拡大横断面図である。
【符号の説明】
Ｓ,Ｋ  天端表示材
１    直線部
２    天端表示部
２１  折返上端
２２  折返先端
３，３０  挿着部
４    止めリング
５    縦筋
５１  突出部
６    横筋
７    紐
【図１】
0003753557.tif 000002
【図２】
0003753557.tif 000003
【図３】
0003753557.tif 000004
【図４】
0003753557.tif 000005
【図５】
0003753557.tif 000006
【図６】
0003753557.tif 000007
【図７】
0003753557.tif 000008
【図８】
0003753557.tif 000009